(57)【特許請求の範囲】
【請求項１】
外装タイルの裏面にタイル剥落防止具が係止され、当該タイル剥落防止具が躯体コンクリートに埋設されることにより、前記外装タイルが前記躯体コンクリートの表面に固着されて、当該外装タイルの剥落を防止する、内部に鉄筋が埋設されるコンクリートブロックであって、
前記外装タイルの裏面には、当該裏面から所定距離凹んで形成された底面と、当該底面の両側縁から略直角に立ち上がる一対の側壁と、当該側壁の底面と反対側の端縁に互いに接近する方向に向かって前記底面と平行に延びる天井面と、当該天井面の互いに接近する端縁から前記外装タイルの裏面に向かって形成される開口側壁面と、を有する係止溝が形成され、
前記タイル剥落防止具は、一対の脚部と、これらの脚部をつなぐ弾性体により形成された折曲部と、一対の脚部の先端に互いに離反する方向に向かって突出する爪部とを有し、互いに離反する方向に付勢された２本の脚部を前記係止溝に挿入し、該爪部を前記天井面と前記底面との間に挿入して係止されており、
前記タイル剥落防止具の前記折曲部はその中央に前記鉄筋を載置する窪み部が設けられ側面視Ｍ字状に形成されるとともに、前記係止溝に爪部が係止されたときに、前記窪み部から前記係止溝の前記底面までの長さが所定かぶり厚以上であることを特徴とするコンクリートブロック。
【請求項２】
前記外装タイルは、前記係止溝の長手方向に沿って、前記底面から突出する中間突条が形成されることを特徴とする請求項１に記載のコンクリートブロック。
【請求項３】
前記外装タイルは、前記天井面と前記開口側壁面とが成す角度が鋭角になるように、前記開口側壁面が傾斜して形成されることを特徴とする請求項１又は請求項２に記載のコンクリートブロック。
【請求項４】
前記タイル剥落防止具は、前記爪部がその突出方向に沿って折曲部側の面が膨らんで膨出部を形成することを特徴とする請求項１から請求項３のいずれかに記載のコンクリートブロック。
【請求項５】
前記一対の脚部は、互いに対向する面側に長手方向に沿って膨らむ１又は複数のリブが形成されたことを特徴とする請求項１から請求項４のいずれかに記載のコンクリートブロック。
【発明の詳細な説明】
【技術分野】
【０００１】
本発明は、プレキャスト工法で製造され、建築物のコンクリート外壁として用いられるコンクリートブロックであって、外装タイルが剥落することを防止するコンクリートブロックに関する。
【背景技術】
【０００２】
従来より、外装タイル裏面に裏あしと呼ばれる凹凸又はリブが設けられており、特にセメントモルタルの接着性を高めるために先端が幅広で根元が先端よりも幅の狭い断面台形に形成されたあり状の裏あしが知られている（非特許文献１）。しかし、このようなあり状の裏あしを有したタイルであっても経年劣化により剥落する虞があり、特に高層建築物の外壁に用いられる外装タイルの剥落は極めて危険であるので問題であった。
【０００３】
ところで、図１５に示すように、外装タイル１００とコンクリート層１０１との間にフェライト磁性板１０２が配置される電波吸収壁１０３においては、フェライト磁性板１０２が介装されるために外装タイル１００裏面とコンクリート層１０１との接触面積が減少し、しかもフェライト磁性板１０２の表面は平滑であるためにコンクリート層１０１への付着性が弱いので、外装タイル１００が剥落する虞が強い。そこで、このような電波吸収壁１０３において外装タイル１００の剥落を防止するために、外装タイル１００裏面に設けられたあり状の裏あし１０４にタイル保持部材１０５の脚部１０６が互いに離反する方向に付勢された状態で係止して、このタイル保持部材１０５をコンクリート層１０１に埋設することにより、アンカーとして機能させた電波吸収壁用化粧タイル取付構造１０７が提案されている（特許文献１、特許文献２)。
【先行技術文献】
【特許文献】
【０００４】
【非特許文献１】日本工業規格  ＪＩＳＡ５２０９：２００８
【特許文献１】実開平6−１７２９８
【特許文献２】特開平９−７８７９３
【発明の概要】
【発明が解決しようとする課題】
【０００５】
しかし、上述のような電波吸収壁用化粧タイル取付構造１０７においては、裏足１０４がその先端に向かって広がる台形のあり状であるので、タイル保持部材１０５を外装タイル１００の裏足１０４に係止したとしても、例えばコンクリートの打設の際などに、タイル保持部材１０５又は外装タイル１００に力が加わった場合には、タイル保持部材１０５の脚部１０６が外装タイル１００の裏足１０４の側面を滑ってタイル保持部材１０５が外装タイル１００から外れる虞がある。
【０００６】
そこで、本発明は、タイル剥落防止具に対して外装タイルから離反方向に力が加わったとしてもタイル剥落防止具が外装タイルの裏足から外れることを抑制することができるコンクリートブロックを提供することを目的とする。
【課題を解決するための手段】
【０００７】
請求項１に記載のコンクリートブロックは、外装タイルの裏面にタイル剥落防止具が係止され、当該タイル剥落防止具が躯体コンクリートに埋設されることにより、前記外装タイルが前記躯体コンクリートの表面に固着されて、当該外装タイルの剥落を防止する、内部に鉄筋が埋設されるコンクリートブロックであって、前記外装タイルの裏面には、当該裏面から所定距離凹んで形成された底面と、当該底面の両側縁から略直角に立ち上がる一対の側壁と、当該側壁の底面と反対側の端縁に互いに接近する方向に向かって前記底面と平行に延びる天井面と、当該天井面の互いに接近する端縁から前記外装タイルの裏面に向かって形成される開口側壁面と、を有する係止溝が形成され、前記タイル剥落防止具は、一対の脚部と、これらの脚部をつなぐ弾性体により形成された折曲部と、一対の脚部の先端に互いに離反する方向に向かって突出する爪部とを有し、互いに離反する方向に付勢された２本の脚部を前記係止溝に挿入し、該爪部を前記天井面と前記底面との間に挿入して係止されており、前記タイル剥落防止具の前記折曲部はその中央に前記鉄筋を載置する窪み部が設けられ側面視Ｍ字状に形成されるとともに、前記係止溝に爪部が係止されたときに、前記窪み部から前記係止溝の前記底面までの長さが所定かぶり厚以上であることを特徴としている。
【０００８】
請求項２に記載のコンクリートブロックは、前記外装タイルは、前記係止溝の長手方向に沿って、前記底面から突出する中間突条が形成されることを特徴としている。
【０００９】
請求項３に記載のコンクリートブロックは、前記外装タイルは、前記天井面と前記開口側壁面とが成す角度が鋭角になるように、前記開口側壁面が傾斜して形成されることを特徴としている。
【００１０】
請求項４に記載のコンクリートブロックは、前記タイル剥落防止具は、前記爪部がその突出方向に沿って折曲部側の面が膨らんで膨出部を形成することを特徴としている。
【００１２】
請求項５に記載のコンクリートブロックは、前記一対の脚部は、互いに対向する面側に膨らむ長手方向に沿って形成された１又は複数のリブが形成されたことを特徴としている。
【発明の効果】
【００１３】
請求項１に記載のコンクリートブロックによると、外装タイルの裏面にこの裏面から所定距離凹んで形成された底面と、底面の両側縁から略直角に立上がる一対の側壁と、側壁の底面と反対側の端縁に互いに接近する方向に向かって底面と平行に延びる天井面と、天井面の互いに接近する端縁から外装タイルの裏面に向かって形成される開口側壁面と、を有する係止溝が形成されているので、タイル剥落防止具の２本の脚部を互いに離反する方向に付勢した状態で外装タイルの係止溝に挿入し、その後弾性応力によって２本の脚部が互いに離反し、脚部先端に形成された爪部が天井面と底面との間に挿入して係止されることにより、タイル剥落防止具を外装タイルに確実に係止することができる。
さらに、請求項１に記載のコンクリートブロックによると、タイル剥落防止具の折曲部はその中央に鉄筋を載置する窪み部が設けられ側面視Ｍ字状に形成されており、且つ、外装タイルの裏足に突片が係止されたときに、窪み部から外装タイルの係止溝の底面までの長さが所定かぶり厚以上であるので、プレキャスト工法でコンクリートブロックを生産する場合に、外装タイルを型枠の床面に並べて設置し、タイル剥落防止具を係止した上で、このタイル剥落防止具の窪み部に鉄筋を配設し、その上からコンクリートを打設することにより、容易に所定かぶり厚を確保した鉄筋コンクリートを打設することができる。
【００１４】
請求項２に記載のコンクリートブロックによると、外装タイルの係止溝に沿って、この係止溝の底面から立ち上がる中間突条が形成されているので、外装タイルの裏面側に打設されるコンクリートへの付着強度を高めることができる。
【００１５】
請求項３に記載のコンクリートブロックによると、天井面と開口側壁面とが成す角度が鋭角になるように開口側壁面が傾斜して形成されているので、タイル剥落防止具を外装タイルに係止する際に、タイル剥落防止具の脚部が開口側壁面の底面に近接する側の尖った部分にのみ接することになるので、タイル剥落防止具の脚部又は爪部が開口側壁面で引っ掛かる虞がなく、確実に爪部を天井面と底面との間に挿入することができる。
【００１６】
請求項４に記載のコンクリートブロックによると、爪部がその突出方向に沿って上方に向かって膨らむ膨出部を有するので、この膨出部の最も膨らんだ位置が天井面に接することによりタイル剥落防止具の脚部が係止溝により深く挿入された状態で固定されるので、タイル剥落防止具をより強固に外装タイルに係止することができる。
【００１８】
請求項５に記載のコンクリートブロックによると、タイル剥落防止具の一対の脚部は、互いに対向する面が膨らむように１又は複数のリブがその長手方向に沿って形成されているので脚部が補強される。これらのリブは脚部の互いに対向する面、すなわち鍔部に当接しない側の面に形成されているので、鍔部とリブが互いに干渉してタイル剥落防止具の係止強度が低下する虞もない。
【図面の簡単な説明】
【００１９】
【図１】コンクリートブロックの一部省略断面図。
【図２】外装タイルの主に裏面の外観構成を説明する斜視図及び側面図。
【図３】外装タイルの別の実施形態として六角形状の外装タイルを例示する斜視図及び側面図。
【図４】外装タイルの別の実施形態として係止溝の間に底面から突出する中間突条が設けられた状態を示す側面図。
【図５】外装タイルの別の実施形態として２本の係止溝が設けられた外装タイルを説明する斜視図。
【図６】タイル剥落防止具の外観構成を説明する斜視図。
【図７】タイル剥落防止具を説明する側面図及びリブが複数設けられたタイル剥落防止具を説明する側面図。
【図８】外装タイル及びタイル剥落防止具の寸法を説明する図。
【図９】外装タイルにタイル剥落防止具を係止する工程を説明する斜視図であって、（ａ）は、タイル剥落防止具の脚部の先端及び爪部を外装タイルの係止溝に挿入した図、（ｂ）は、タイル剥落防止具を回転させて爪部をスリット空間に挿入した図。
【図１０】外装タイルにタイル剥落防止具を別の方法で係止する工程を説明する斜視図であって、（ａ）は、脚部が互いに接近する方向に付勢した状態でタイル剥落防止具の脚部の先端及び爪部を外装タイルの係止溝に挿入する前の状態を示す図、（ｂ）は、タイル剥落防止具の脚部の先端及び爪部を外装タイルの係止溝に挿入した状態を示す図、（ｃ）は、脚部への付勢を解除した状態し、スリット空間に爪部を挿入した状態を示す図。
【図１１】係止溝の鍔部の先端が底面に近接する側が尖るように傾斜して形成されていることを説明する側面図及び一部省略拡大図。
【図１２】外装タイルを型枠の底に敷き詰めた後、格子状の鉄筋を上からタイル剥落防止具に載置する状態を説明する斜視図。
【図１３】外装タイルの裏面に係止したタイル剥落防止具上に鉄筋を載置した状態を説明する側面図。
【図１４】図１３の状態からコンクリートを打設してコンクリートブロックを完成させた状態を説明する省略断面図。
【図１５】従来の電波吸収壁用化粧タイル取付構造を説明する図及びその部分拡大図。
【発明を実施するための形態】
【００２０】
以下、本発明のコンクリートブロック１の最良の実施形態について、各図を参照しつつ説明する。コンクリートブロック１は、建築物のコンクリート外壁に採用されるブロックであって、図１に示すように、外壁の屋外側に設けられる外装タイル２の裏面にタイル剥落防止具３が係止された状態でコンクリートを打設養生することにより、このタイル剥落防止具３が躯体コンクリート４に埋設されたものである。また、躯体コンクリート４内の屋外寄り及び屋内寄りにはそれぞれ鉄筋５が所定のかぶり厚を保持しつつ埋設されている。
【００２１】
外装タイル２は、粘土その他の無機質材料を押出成形した後、乾燥させて高温で焼成した陶磁器質タイルである。この外装タイル２は、図２に示すように、長方形の平板状に形成されており、その裏面には、当該裏面から所定距離凹んで形成された底面６１と、当該底面６１の両側縁から略直角に立上がる一対の側壁６２と、当該側壁６２の底面６１と反対側の端縁に互いに接近する方向に向かって前記底面６１と平行に延びる天井面６６と、当該天井面６６の互いに接近する端縁から前記外装タイル２の裏面に向かって形成される開口側壁面６７と、を有する係止溝６が形成されている。また、天井面６６と開口側壁面６７とが成す角度が鋭角になるように開口側壁面６７は傾斜して形成されている。天井面６６と底面６１との間には細いスリット空間６４が形成されている。
【００２２】
なお、外装タイル２の形状は長方形の平板に限定されるものではなく、正方形、その他の多角形、円形などのタイルであってもよい。例えば図３に示すように、六角形のタイルを使用する場合であっても、その裏面に、当該裏面から所定距離凹んで形成された底面６１と、当該底面６１の両側縁から略直角に立上がる一対の側壁６２と、当該側壁６２の底面６１と反対側の端縁に互いに接近する方向に向かって前記底面６１と平行に延びる天井面６６と、当該天井面６６の互いに接近する端縁から前記外装タイル２の裏面に向かって形成される開口側壁面６７と、を有する係止溝６が設けられていればよい。また、外装タイル２の成形は押出成形に限定されるものではなく、外装タイル２の形状に応じて例えば高圧プレス成形などの適切な成形方法を選択できる。さらに、外装タイル２の材料は無機質材料に限定されるものではなく、例えば合成樹脂などの有機高分子材料を用いたものであってもよい。
【００２３】
外装タイル２の裏面に設けられた係止溝６の底面６１は平坦に形成されていてもよいが、例えば躯体コンクリート４への外装タイル２の付着性を高めるために、図４に示すように、底面６１から離れる方向に向かって広がって形成された断面台形のあり状の中間突条６５が、係止溝６の長手方向に沿って形成されていてもよい。また、裏面の幅が広い外装タイル２を用いる場合には２以上の中間突条６５が形成されていても良く、あり状以外の形状の中間突条６５が形成されていてもよい。
【００２４】
また、外装タイル２の寸法によっては、係止溝６を２本以上形成してもよい。例えば図５に示すように、２本の係止溝６を互いに平行に外装タイル２の裏面に形成し、それぞれの係止溝６にタイル剥落防止具３を取り付けることにより、コンクリートを打設して外壁を形成した時に、より強固に外装タイル２を躯体コンクリート４に固定することができ、外装タイル２の重量が重い場合にも本コンクリートブロック１を用いることができる。
【００２５】
タイル剥落防止具３は、耐腐食性に優れたステンレスの板金をプレス加工して形成されている。このタイル剥落防止具３は、図６及び図７に示すように、一対の脚部３１と、これらの脚部３１をつなぐ折曲部３２と、一対の脚部３１の先端に互いに離反する方向に向かって突出する爪部３３とを有している。一対の脚部３１にはそれぞれ外側を凹ませて、内側を膨らませるようにエンボス加工を施すことにより、一対の脚部３１の対向する面にリブ３４を形成している。これら脚部３１をつなぐ折曲部３２は湾曲してその中央が凹んだ窪み部３５を形成しており、側面視Ｍ字状に形成されている。爪部３３はその突出方向に沿うように、折曲部３２が形成された側に向かって膨らむ膨出部３６を形成している。なお、一対の脚部３１に形成されたリブ３４は脚部３１毎に１本に限定されるものではなく強度を高めるために２本以上形成されていてもよい。
【００２６】
外装タイル２及びタイル剥落防止具３の寸法は、たとえば本実施形態においては、図８に示すように、タイル剥落防止具３が弾性変形していない状態のとき、タイル剥落防止具３の一方の爪部３３の先端から他方の爪部３３の先端までの距離ａが４３ｍｍであって、一方の脚部３１の先端から他方の脚部３１の先端までの距離ｂが３６ｍｍである。また、外装タイル２の一方の開口側壁面６７の底面６１に近接する側の端縁から他方の開口側壁面６７の底面６１に近接する側の端縁までの距離ｃが３０ｍｍである。また、係止溝６の天井面６６から底面６１までの距離すなわちスリット空間６４の高さｅは１．５ｍｍであって、タイル剥落防止具３の爪部３３の膨出部３６と反対側の面から膨出部３６の最も高い位置までの距離ｄもまた１．５ｍｍである。そして、タイル剥落防止具３の幅ｇは例えば１５ｍｍである。また、タイル剥落防止具３を外装タイル２に係止したときに、外装タイル２の係止溝６の底面６１から窪み部３５までの距離ｆは３０ｍｍである。
【００２７】
上述の各寸法は、タイル剥落防止具３の材料の強度、建築物の外壁の意匠性や設計及び施工上の都合などに応じて適宜選択することができるが、少なくとも、タイル剥落防止具３を確実に外装タイル２の係止溝６に係止するために「ｂ≧ｃ」が好ましい。また、外装タイル２の係止溝６の鍔部６３と底面６１との間のスリット空間６４にタイル剥落防止具３の爪部３３がガタつきなく固定されるために「ｅ≒ｄ」が好ましい。そして、内部に鉄筋５を埋設してコンクリートを打設する際に、鉄筋５が所望のかぶり厚以上内側に配置されるために、「ｆ≧カブリ厚」であることが好ましい。さらに、タイル剥落防止具３を係止溝６に挿入する際の作業を容易にするために「ｇ＜ｃ」であることが好ましい。
【００２８】
タイル剥落防止具３を外装タイル２に係止するときには、まず、図示しない作業者がタイル剥落防止具３の一対の脚部３１を挟持して、一方の脚部３１の先端から他方の脚部３１の先端までの距離が、係止溝６の両側の開口側壁面６７の天井面６６側の端縁間の距離よりも短くなるように折曲部３２を弾性変形させる。そして、弾性変形した状態を保持したまま、図９（ａ）に示すように、一対の爪部３３の突出方向が外装タイル２の係止溝６の長手方向と平行になるように、外装タイル２の係止溝６にタイル剥落防止具３の脚部３１の先端及び爪部３３を挿入する。そして図９（ｂ）に示すように、タイル剥落防止具３を約９０度回転させて、一対の爪部３３を係止溝６の天井面６６と底面６１との間に形成されたスリット空間６４に挿入する。このときタイル剥落防止具３の爪部３３は互いに離反する方向に付勢されているので、互いにスリット空間６４の奥行き方向へ付勢され、外装タイル２の係止溝６の天井面６６と底面６１との間で確実に固定できる。
【００２９】
天井面６６から係止溝６の底面６１までの距離すなわちスリット空間６４の高さｅ、及びタイル剥落防止具３の爪部３３の膨出部３６と反対側の面から膨出部３６の最も高い位置までの距離ｄはともに１．５ｍｍであるので、スリット空間６４に挿入させた爪部３３はほとんどガタつくことがない。また、爪部３３全体の厚みが１．５ｍｍあるのではなく、爪部３３の突出方向に沿って設けられた膨出部３６により１．５ｍｍを確保しているので、材料を節約することができるだけでなく、タイル剥落防止具３を回転させる際に１．５ｍｍ以下の細い爪部３３の側縁からスリット空間６４に挿入され、その後、膨出部３６がスリット空間６４に挿入させることになるので、挿入作業をより容易にすることができる。
【００３０】
また、外装タイル２の一方の鍔部６３の先端から他方の鍔部６３の先端までの距離ｃは３０ｍｍであるので、タイル剥落防止具３の一方の脚部３１の先端から他方の脚部３１の先端までの距離もほぼ３０ｍｍになるように折曲部３２が弾性変形されている。すなわち、タイル剥落防止具３の脚部３１は互いに離反する方向に付勢された状態で外装タイル２に係止されている。したがって、爪部３３もスリット空間６４の奥に向かって付勢された状態で保持されているので、爪部３３がこのスリット空間６４から脱落する虞もなく、確実に外装タイル２にタイル剥落防止具３を係止することができる。
【００３１】
なお、タイル剥落防止具３を外装タイル２に係止する場合に、上述のように、タイル剥落防止具３を約９０度回転させるものでなくてもよい。例えば図１０に示すように、一方の爪部３３の先端から他方の爪部３３の先端までの距離を、両鍔部６３の開口側壁面６７間の距離ｃである３０ｍｍよりも短くなるように折曲部３２を弾性変形させて、そのままタイル剥落防止具３の爪部３３及び脚部３１の先端を、外装タイル２の係止溝６に挿入してもよい。このようにした後、作業者が脚部３１を開放すると、弾性応力により、脚部３１の先端の間の距離が広がって、爪部３３が係止溝６の鍔部６３と底面６１の間のスリット空間６４に挿入され、タイル剥落防止具３に外装タイル２が係止される。
【００３２】
また、図１１に示すように、鍔部６３の先端は外装タイル２の係止溝６の底面６１に近接する側が尖るように傾斜して形成されているので、タイル剥落防止具３を外装タイル２に係止する際に、タイル剥落防止具３の脚部３１が開口側壁面６７の底面６１側端縁の尖った部分にのみ接することになるので、タイル剥落防止具３の脚部３１又は爪部３３が開口側壁面６７で引っ掛かる虞がなく、確実に爪部３３を天井面６６と外装タイルの係止溝６の底面６１との間に挿入することができる。さらに、タイル剥落防止具３の一対の脚部３１に設けられたリブ３４は脚部３１の互いに対向する面、すなわち開口側壁面６７に当接しない側の面側が膨らんで形成されているので、鍔部６３とリブ３４が互いに干渉することがなくタイル剥落防止具３の係止強度を維持することができる。
【００３３】
以上のようにしてタイル剥落防止具３を外装タイル２に係止した後、コンクリートを打設して外壁を形成する。例えば図１２に示すように、プレキャストで外壁を形成する場合には、図示しない型枠を組み立てて、その型枠の図示しない底面に目地材７を挟んで外装タイル２を敷き詰める。タイル剥落防止具３は型枠内に外装タイル２を敷き詰めた後に外装タイル２に係止してもよく、また、型枠に敷き詰める前の外装タイル２に係止してもよい。タイル剥落防止具３を係止した外装タイル２を型枠の底に敷き詰めた後、四角い格子状に溶接した鉄筋５を上から載置する。
【００３４】
図１３に示すように、鉄筋５を載置するときに格子状の鉄筋５のうちの何本かがタイル剥落防止具３の折曲部３２に載置されることになり、折曲部３２の中央で窪んで形成されている窪み部３５には特に安定して鉄筋５が載置される。このときタイル剥落防止具３の脚部３１の先端から窪み部３５までの屋内方向への距離ｆは３０ｍｍであるので、少なくとも鉄筋５から外装タイル２の係止溝６の底面６１までのかぶり厚を３０ｍｍ確保することができる。
【００３５】
そして、コンクリートを打設して養生した後、型枠から取り外して、図１４に示すように、プレキャストコンクリートのコンクリートブロック１を完成させる。このようなコンクリートブロック１は、タイル剥落防止具３の折曲部３２及び両脚部３１の間にもコンクリートが充分に充填されるので、タイル剥落防止具３の変形の虞もなく、外装タイル２の剥落を極めて効果的に抑制することができる。
【００３６】
なお、本発明の実施の形態は上述の形態に限ることなく、本発明の思想の範囲を逸脱しない範囲で適宜変更することができることは云うまでもない。
【産業上の利用可能性】
【００３７】
本発明に係るコンクリートブロック１は、外装材としてタイルを使用する建築物の外壁に好適に用いることができる。
【符号の説明】
【００３８】
１      コンクリートブロック
２      外装タイル
３      タイル剥落防止具
４      躯体コンクリート
５      鉄筋
６      係止溝
３１    脚部
３２    折曲部
３３    爪部
３４    リブ
３５    窪み部
３６    膨出部
６１    底面
６２    側壁
６３    鍔部
６４    スリット空間
６５    中間突条
【図１】
0005721589.tif 000002
【図２】
0005721589.tif 000003
【図３】
0005721589.tif 000004
【図４】
0005721589.tif 000005
【図５】
0005721589.tif 000006
【図６】
0005721589.tif 000007
【図７】
0005721589.tif 000008
【図８】
0005721589.tif 000009
【図９】
0005721589.tif 000010
【図１０】
0005721589.tif 000011
【図１１】
0005721589.tif 000012
【図１２】
0005721589.tif 000013
【図１３】
0005721589.tif 000014
【図１４】
0005721589.tif 000015
【図１５】
0005721589.tif 000016